(57)【要約】【課題】基準時刻から日の出時刻までの時間、及び、日の入時刻までの時間を表示することのできる指針式電子時計を提供する。【解決手段】日の出時刻を表す日の出時刻目盛、日の入時刻を表す日の入時刻目盛、及び、基準となる時刻から日の出／日の入時刻までの時間を表す目盛が設けられた文字板（１１）と、これら日の出時刻目盛、日の入時刻目盛、及び、基準となる時刻から日の出／日の入時刻までの時間を表す目盛を指すように回動可能若しくは回転可能に設けられた第１の指針（７）と、日の出時刻及び日の入時刻の所定時間前から前記第１の指針に日の出時刻及び日の入時刻までの時間を指示させる指針駆動制御手段とを備えたアナログ電子時計である。【選択図】図１
2011122952.tif 000002
【特許請求の範囲】
【請求項１】
日の出時刻を表す日の出時刻目盛、日の入時刻を表す日の入時刻目盛、及び、基準となる時刻から日の出／日の入時刻までの時間を表す目盛が設けられた文字板と、
前記日の出時刻目盛、前記日の入時刻目盛、及び、前記基準となる時刻から日の出／日の入時刻までの時間を表す目盛を指すように回動可能若しくは回転可能に設けられた第１の指針と、
日の出時刻及び日の入時刻の所定時間前から前記第１の指針に日の出時刻及び日の入時刻までの時間を指示させる指針駆動制御手段と
を備えることを特徴とするアナログ電子時計。
【請求項２】
現在時刻を計数する計時手段と、
回転して時刻を指し示す第２の指針と、
日の出／日の入時刻を記憶する日出没時刻記憶手段と、
前記計時手段により計数された現在時刻、及び、前記日出没時刻記憶手段に記憶された日の出／日の入時刻に基づいて現在時刻から日の出／日の入時刻までの時間を算出する時間差算出手段と
を備え、
前記指針駆動制御手段は、
前記時間差算出手段により算出された現在時刻から日の出／日の入時刻までの時間に基づいて前記第１の指針を電気的に駆動制御すると共に、前記計時手段により計数された現在時刻に基づいて前記第２の指針を電気的に駆動制御する
ことを特徴とする請求項１に記載のアナログ電子時計。
【請求項３】
位置データを記憶する位置記憶手段と、
前記位置記憶手段に記憶された位置での日の出／日の入時刻を算出する日出没時刻算出手段と
を備え、
前記日出没時刻算出手段により算出された日の出／日の入時刻は、前記日出没時刻記憶手段に記憶される
ことを特徴とする請求項２に記載のアナログ電子時計。
【請求項４】
前記第１の指針、前記日の出時刻目盛、前記日の入時刻目盛、及び、現在時刻から日の出／日の入時刻までの時間を表す目盛は、前記文字板上の一部分に設けられており、且つ、前記第１の指針は、前記第２の指針とは異なる軸を中心として回動可能若しくは回転可能に配置されている
ことを特徴とする請求項２に記載のアナログ電子時計。
【発明の詳細な説明】
【技術分野】
【０００１】
この発明は、日の出時刻までの時間、及び、日の入時刻までの時間を計数して表示する指針式電子時計に関する。
【背景技術】
【０００２】
従来、日の出時刻や日の入時刻を表示する機能を有する電子時計がある。例えば、特許文献１には、１日２４時間を示す指針式の天文時計において、２枚の扇形回転板、或いは、２本の指針を用いて日の出時刻と日の入時刻とを可変に表示する機能に関する技術が開示されている。
【先行技術文献】
【特許文献】
【０００３】
【特許文献１】特開平９−２５７９５４号公報
【発明の概要】
【発明が解決しようとする課題】
【０００４】
しかしながら、現在時刻から日の出時刻までの時間や日の入時刻までの時間を基準として判断や行動を行う場合、従来の技術では、ユーザが現在時刻と、日の出時刻及び日の入時刻とを比較しながら毎回これらの時刻の時間差を計算する必要があった。すなわち、従来の指針式電子時計では、日の出時刻までの時間、及び、日の入時刻までの時間を容易に読み取ることができないという課題があった。
【０００５】
この発明の目的は、基準となる時刻から日の出時刻までの時間、及び、日の入時刻までの時間を表示することができる指針式電子時計を提供することにある。
【課題を解決するための手段】
【０００６】
上記目的を達成するため、請求項１に記載の発明は、
日の出時刻を表す日の出時刻目盛、日の入時刻を表す日の入時刻目盛、及び、基準となる時刻から日の出／日の入時刻までの時間を表す目盛が設けられた文字板と、
前記日の出時刻目盛、前記日の入時刻目盛、及び、前記基準となる時刻から日の出／日の入時刻までの時間を表す目盛を指すように回動可能若しくは回転可能に設けられた第１の指針と、
日の出時刻及び日の入時刻の所定時間前から前記第１の指針に日の出時刻及び日の入時刻までの時間を指示させる指針駆動制御手段と
を備えることを特徴とするアナログ電子時計である。
【０００７】
請求項２に記載の発明は、請求項１に記載のアナログ電子時計であって、
現在時刻を計数する計時手段と、
回転して時刻を指し示す第２の指針と、
日の出／日の入時刻を記憶する日出没時刻記憶手段と、
前記計時手段により計数された現在時刻、及び、前記日出没時刻記憶手段に記憶された日の出／日の入時刻に基づいて現在時刻から日の出／日の入時刻までの時間を算出する時間差算出手段と
を備え、
前記指針駆動制御手段は、
前記時間差算出手段により算出された現在時刻から日の出／日の入時刻までの時間に基づいて前記第１の指針を電気的に駆動制御すると共に、前記計時手段により計数された現在時刻に基づいて前記第２の指針を電気的に駆動制御する
ことを特徴としている。
【０００８】
請求項３に記載の発明は、請求項２に記載のアナログ電子時計であって、
位置データを記憶する位置記憶手段と、
前記位置記憶手段に記憶された位置での日の出／日の入時刻を算出する日出没時刻算出手段と
を備え、
前記日出没時刻算出手段により算出された日の出／日の入時刻は、前記日出没時刻記憶手段に記憶される
ことを特徴としている。
【０００９】
請求項４に記載の発明は、請求項２に記載のアナログ電子時計であって、
前記第１の指針、前記日の出時刻目盛、前記日の入時刻目盛、及び、現在時刻から日の出／日の入時刻までの時間を表す目盛は、前記文字板上の一部分に設けられており、且つ、前記第１の指針は、前記第２の指針とは異なる軸を中心として回動可能若しくは回転可能に配置されている
ことを特徴としている。
【発明の効果】
【００１０】
本発明に従うと、指針式電子時計において基準となる時刻から日の出時刻までの時間及び日の入時刻までの時間を表示することができるという効果がある。
【図面の簡単な説明】
【００１１】
【図１】本発明の実施形態の電子時計を示す正面図である。
【図２】電子時計の内部構成を示すブロック図である。
【図３】実施形態での機能針による日の出前及び日の出時刻の表示例を説明する図である。
【図４】実施形態での機能針による日の入前及び日の入時刻の表示例を説明する図である。
【図５】ＣＰＵによる計時処理の制御手順を示すフローチャートである。
【図６】日の出時刻までの時間、及び、日の入時刻までの時間の表示部の変形例を示す正面図である。
【図７】変形例での機能針による日の出前及び日の出時刻の表示例を説明する図である。
【図８】変形例での機能針による日の入前及び日の入時刻の表示例を説明する図である。
【発明を実施するための形態】
【００１２】
以下、本発明の実施の形態を図面に基づいて説明する。
【００１３】
図１は、本発明の実施形態の電子時計の正面図である。
【００１４】
本発明の実施形態の電子時計１は、複数の指針を用いて時刻の表示とその他の機能に係る表示とを同時に行う指針式電子時計である。この電子時計１は、ケーシング１０と前面を覆う風防ガラスとで囲まれた内側に、時刻を表示する目盛や標章が設けられた文字板１１と、文字板１１上を回転可能に配置された時針２、分針３、秒針４（以降まとめて指針２〜４と記す）、２４時間針６、及び、機能針７と、ケーシングの両側面部に設けられたスイッチＢ１〜Ｂ４などを備えている。また、文字板１１の裏側には、日車５が指針２〜４と同一の軸を中心に回転可能に保持されている。そして、この日車５の表面の所定の同心円上に表記されている１〜３１の数値のうちの１個が、文字板１１の３時の方向に設けられた方形の開口部１３から露出される構成となっている。
【００１５】
指針２〜４は、文字板１１のほぼ全域にわたって回転される一方、２４時間針６は、文字板１１の９時位置に設けられた小窓１６内で回転し、また、機能針７は、文字板１１の６時位置に設けられた小窓１７内で回転するように構成されている。従って、２４時間針６、及び、機能針７は、それぞれ、指針２〜４とは異なる軸を中心に回転する。
【００１６】
円形の小窓１７内は、特に制限されるものではないが、小窓１７の１２時から３時までの方向を利用して現在時刻から日の入時刻までの時間を表示し、また、小窓１７の６時から９時までの方向を利用して現在時刻から日の出時刻までの時間を表示する構成となっている。小窓１７の目盛は、日の出時刻の１２０分前から日の出時刻まで、及び、日の入時刻の１２０分前から日の入時刻までに亘って設定されている。また、日の出時刻の６０分前から日の出時刻まで、及び、日の入時刻の６０分前から日の入時刻までの目盛が示す時間間隔（５分間隔）は、それぞれ日の出時刻の１２０分前から日の出時刻の６０分前まで、及び、日の入時刻の１２０分前から日の入時刻の６０分前までの目盛が示す時間間隔（１０分間隔）と比較して半分となり、これらの目盛を機能針７が指し示すことによって、より詳しく時間を表示することができるようになっている。
【００１７】
なお、例えば、小窓１７と機能針７とは、日の出時刻、及び、日の入時刻を求める位置の緯度、経度データの設定入力時にも利用することが可能である。或いは、他の指針を用いて設定することとしても良い。
【００１８】
図２は、電子時計１の内部構成を示すブロック図である。
【００１９】
この電子時計１は、ＣＰＵ（中央演算処理装置）を内蔵し時計の全体的な動作を制御する制御部８０（指針駆動制御手段、時間差算出手段、日出没時刻算出手段）と、制御部８０のＣＰＵに作業用メモリ空間を提供するＲＡＭ（Random Access Memory）８１と、計時運針処理や日の出時刻、日の入時刻の計算処理を行うための各種プログラム、及び、各種設定データが格納されているＲＯＭ（Read Only Memory）８２と、図示略の発振回路から所定の周波数信号を入力して時刻の計数を行う計時回路８９（計時手段）と、スイッチＢ１〜Ｂ４が押されることによって制御部８０へ操作信号を出力するスイッチ部９０と、時針２、及び、分針３を複数の歯車を含む輪列機構２３を介して所定角度ずつ回転駆動する第１ステップモータ３３と、秒針４、日車５、２４時間針６、及び、機能針７をそれぞれ複数の歯車を含む輪列機構２４〜２７を介して所定角度ずつ回転駆動する第２〜第５ステップモータ３４〜３７と、制御部８０からの指令を受けて、第１〜第５ステップモータ３３〜３７をそれぞれステップ駆動させるための信号を送る駆動回路４３〜４７などを備えている。
【００２０】
ＲＡＭ８１には、スイッチＢ１〜Ｂ４の操作により入力された緯度、及び、経度のデータを記憶する位置記憶部８１ａ（位置記憶手段）と、制御部８０のＣＰＵにより計算された日の出時刻、及び、日の入時刻を記憶する日出没時刻記憶部８１ｂ（日出没時刻記憶手段）とが含まれている。日の出時刻、及び、日の入時刻は、制御部８０のＣＰＵにより算出される度に日出没時刻記憶部８１ｂに毎回上書きされる。
【００２１】
位置記憶部８１ｂに記憶させる位置座標は、電子時計１のユーザの現在位置に限られない。世界各地の設定された地点、例えば、パリにおける日の出時刻まで、及び、日の入時刻までの現在時刻からの時間を表示することも可能である。
【００２２】
制御部８０は、計時回路８９から入力する時刻データに基づいて指針２〜４、２４時間針６、及び、日車５を回転駆動し、時刻と日付とを表示する。また、制御部８０は、算出した日の出時刻及び日の入時刻を日出没時刻記憶部８１ｂに記憶させたり、日出没時刻記憶部８１ｂに記憶された日の出時刻、及び、日の入時刻のデータを読み出して計時回路８９から入力する時刻データと比較し、現在時刻から日の出、及び、日の入までの時間を計算したりする。そして、制御部８０は、算出された現在時刻から日の出時刻までの時間、或いは、日の入時刻までの時間に基づいて機能針７を回転駆動する。
【００２３】
日の出時刻、日の入時刻を計算する際には、ＣＰＵは、ＲＯＭ８２から計算プログラムを呼び出すとともに、位置記憶部８１ａから設定された緯度、経度データを取得し、また、計時回路８９から読み出した日付における太陽の位置を示す視赤緯、視赤経の値を計算して取得する。これらの取得された値を用いて日の出時刻、及び、日の入時刻が算出される。このとき、夏時間を採用している地域では、自動、または、手動で夏時間の設定を行うことにより、日の出時刻、及び、日の入時刻も夏時間に合わせて算出することができる。
【００２４】
次に、日の出、及び、日の入時の機能針７の動作について説明する。
【００２５】
図３は、小窓１７上での機能針７による日の出前及び日の出時刻の表示例を示した図である。また、図４は、小窓１７上での機能針７による日の入前及び日の入時刻の表示例を示した図である。
【００２６】
図３の（Ａ）に示すように、現在時刻が日の出時刻の１２０分前になると、機能針７は、日の出時刻１２０分前を表す６時方向の目盛１７１（日の出前運針開始目盛）を指す。そして、機能針７は、日の出時刻の６０分前には７時方向の目盛１７２を指し（図３（Ｂ））、日の出時刻の３０分前には８時方向の目盛１７３を指し（図３（Ｃ））、日の出時刻には９時方向の目盛１７４（日の出時刻目盛）を指す（図３（Ｄ））。すなわち、機能針７は、日の出時刻まで所定の頻度で右回りに回転していく。機能針７の一周当りのステップ数は、特に制限されないが、例えば、６０ステップである。この場合、機能針７は、日の出時刻１２０分前から日の出時刻６０分前までは、１０分おきに１ステップずつ右回りに回転移動し、また、日の出時刻６０分前から日の出時刻までは、５分おきに１ステップずつ右回りに回転移動する。日の出時刻が過ぎると、機能針７は、日の入時刻前の運針が開始されるまで目盛１７４を指したまま停止する。
【００２７】
次に、図４（Ａ）に示すように、現在時刻が日の入時刻の１２０分前になると、機能針７は、９時方向の目盛１７４から右回りに９０度回転して日の入時刻１２０分前を表す１２時方向の目盛１７５（日の入前運針開始目盛）を指す。続いて、機能針７は、日の入時刻６０分前には１時方向の目盛１７６を指し（図４（Ｂ））、日の入時刻３０分前には２時方向の目盛１７７を指し（図４（Ｃ））、そして、日の入時刻には３時方向の目盛１７８（日の入時刻目盛）を指し示す（図４（Ｄ））。この日の入前の機能針７の運針方向、及び、運針タイミングは、それぞれ、日の出前の運針方向、及び、運針タイミングと同様である。すなわち、機能針７は、日の入時刻１２０分前から日の入時刻６０分前までは、１０分ごとに１ステップずつ右回りに回転移動し、日の入時刻６０分前から日の入時刻までは、５分ごとに１ステップずつ右回りに回転移動する。日の入時刻を過ぎると、機能針７は、日の出時刻前の運針が開始されるまで目盛１７８を指したまま停止する。
【００２８】
ここで、例えば、極夜や白夜などにより日出没時刻が求められない場合は、上記の表示を行わずに、例えば、機能針７が１２時方向の日の入時刻１２０分前の目盛１７５（エラー表示位置）を指したまま停止させることでエラー表示を行う。このエラー表示は、より明確に、例えば、日の入前運針開始目盛１７５より数ステップ手前に別個にエラー表示用の目盛を設け、機能針７がこのエラー表示用の目盛を指し示すことで行われるようにすることも可能である。
【００２９】
なお、この電子時計１では、日の出時刻前、及び、日の入時刻前の時間のみを算出して表示させているが、日の出時刻後や日の入時刻後の、例えば、１時間をそれぞれ引き続いて算出し、表示させることとしても良い。
【００３０】
また、小窓１７内に「日中」や「夜間」などを表す表示及び目盛を更に設けて、機能針７がこれらの目盛を指し示すことにより、日の出時刻から日の入時刻１２０分前までの間の時間帯や、日の入時刻から日の出時刻１２０分前までの間の時間帯をそれぞれ表示するように構成することとしても良い。
【００３１】
また、目盛の示す時間間隔は、全て同一でも良いし、反対に、例えば、日の出時刻及び日の入時刻のそれぞれ６０分前から１５分前と、日の出時刻１５分前から日の出時刻、及び、日の入時刻１５分前から日の入時刻とで更に変更させることも可能である。更には、より細かく目盛の間隔を変化させることとしても良い。
【００３２】
次に、現在時刻から日の出時刻までの時間及び日の入時刻までの時間を表示する動作に関してＣＰＵによって実行される制御処理の流れを説明する。
【００３３】
図５は、ＣＰＵによる計時処理の制御手順を示すフローチャートである。
【００３４】
現在時刻から日の出時刻までの時間及び日の入時刻までの時間の表示動作に係る処理は、毎秒行われる通常の現在時刻計時処理、及び、運針処理に引き続いて行われる。
【００３５】
まず、計時処理が開始されると、ＣＰＵは、計時回路８９から現在時刻データを取得し、指針２〜４、日車５、及び、２４時間針６のうち運針が必要なタイミングであるものの駆動回路４３〜４６に動作信号を送る（ステップＳ１）。
【００３６】
続いてステップＳ２へ進み、ＣＰＵは、ＲＡＭ８１の日出没時刻記憶部８１ｂから日の出時刻、及び、日の入時刻のデータを取得して、これらのデータの何れかがエラーであるか否かを判別する。日の出時刻、或いは、日の入時刻データの何れかがエラーであると判別された場合には、ステップＳ３へ移行し、ＣＰＵは、駆動回路４７へ動作信号を送って機能針７をエラー表示位置１７５へ移動させる。そして、ステップＳ４へ進んで、現在の時刻が０時０分０秒であるか、すなわち、日付が変わったタイミングであるか否かを判別する。０時０分０秒ではないと判別された場合は、以降の処理を行わずに計時処理を終了する。
【００３７】
ステップＳ４の判別処理で０時０分０秒であると判別された場合には、ステップＳ５へ移行して、ＣＰＵは、変わった日付における日の出時刻、及び、日の入時刻の計算を行い、この計算結果を日出没時刻記憶部８１ｂに記憶させる。続いて、これらの日の出時刻、及び、日の入時刻が正しく算出されているか否かを判別する（ステップＳ６）。再び日の出時刻、或いは、日の入時刻の何れかのデータがエラーであると判別された場合は、そのまま計時処理を終了する。
【００３８】
ステップＳ２の判別処理、或いは、ステップＳ６の判別処理で日の出時刻、及び、日の入時刻のデータが何れもエラーではないと判別された場合は、ステップＳ７へ移行する。そして、ＣＰＵは、これらの日の出時刻及び日の入時刻と、ステップＳ１で取得した現在時刻との時間差をそれぞれ計算する。
【００３９】
ステップＳ７での計算処理の結果、現在時刻が日の出時刻の所定時間（本実施形態では、１２０分）前であると判別されると、ステップＳ８へ移行して、ＣＰＵは、機能針７が６時方向の日の出前運針開始目盛１７１を指すまで駆動回路４７へ連続的に動作信号を送る。そして、計時処理を終了する。
【００４０】
また、ステップＳ７の計算処理の結果、現在時刻が日の入時刻の所定時間（１２０分）前であると判別されると、ステップＳ９へ移行して、ＣＰＵは、機能針７が１２時の方向の日の入前運針開始目盛１７５を指すまで駆動回路４７へ連続的に動作信号を送る。そして、計時処理を終了する。
【００４１】
また、ステップＳ７の計算処理の結果、現在時刻が日の出時刻の所定時間前から日の出時刻までの間か、或いは、現在時刻が日の入時刻の所定時間前から日の入時刻までの間であると判別された場合は、ステップＳ１０へ移行して、機能針７の運針処理を行う。すなわち、所定の運針タイミング（本実施形態では、日の出時刻、日の入時刻のそれぞれ１２０分前から６０分前までは１０分おき、日の出時刻、日の入時刻のそれぞれ６０分前から日の出時刻、日の入時刻までは５分おき）であれば、ＣＰＵは、駆動回路４７へ動作信号を送って機能針７を右回りに１ステップ運針させる。そして、計時処理を終了する。
【００４２】
また、ステップＳ７の計算処理の結果、現在時刻が日の入時刻の次の秒であると判別された場合は、ステップＳ１１へ移行し、ＣＰＵは、翌日の日の出時刻、及び、日の入時刻を算出する。そして、ＣＰＵは、これらの時刻を日出没時刻記憶部８１ｂに記憶させた後、計時処理を終了する。
【００４３】
また、ステップＳ７の計算処理の結果、ステップＳ８〜Ｓ１１の何れにも分岐しないその他の時刻であると判別された場合、すなわち、現在時刻が日の出時刻の１２０分１秒前以前、現在時刻が日の出時刻１秒後以降日の入時刻の１２０分１秒前まで、及び、現在時刻が日の入時刻の２秒後以降は、そのまま計時処理を終了する。
【００４４】
なお、日の出時刻、及び、日の入時刻を計算するタイミングは、必ずしも日の入時刻の次の秒、及び、０時０分０秒には限られない。また、一度日の出時刻、及び、日の入時刻を計算して現在時刻から日の出時刻までの時間や日の入時刻までの時間を算出した後は、処理プログラム内で、或いは、カウンタを用いて毎秒これらの時間差の値を減算することにより求めることも可能である。
【００４５】
［変形例］
図６は、現在時刻から日の出時刻までの時間、及び、日の入時刻までの時間の表示部の変形例を示す正面図である。
【００４６】
この変形例における電子時計１Ｂは、現在時刻から日の出時刻までの時間、及び、日の入時刻までの時間を表示する小窓１７Ｂが上半円形であり、また、機能針７Ｂが上側１８０度の範囲でのみ回動可能となっている点を除いては、上述の実施形態と同様の構成であり、また、同様の動作処理を行うので、同様の部分に関しては説明を省略する。
【００４７】
図７は、この変形例における小窓１７Ｂ上での機能針７Ｂによる日の出前及び日の出時刻の表示例を示したものである。また、図８は、この変形例における小窓１７Ｂ上での機能針７Ｂによる日の入前及び日の入時刻の表示例を示したものである。
【００４８】
この変形例において、小窓１７Ｂの外周の円弧部分に沿ってその内側には、日の出時刻を表す表示“ｓｕｎｒｉｓｅ”、日の入時刻を表す表示“ｓｕｎｓｅｔ”、及び、現在時刻から日の出時刻までの時間と日の入時刻までの時間とを示す目盛と数値の表示がなされている。すなわち、これらの表示によって上半円形の左斜め上２２．５度方向が日の出時刻の１２０分前を表し、以降右周りに２２．５度ごとに、日の出時刻の６０分前、日の出時刻の３０分前、日の出時刻、日の入時刻の１２０分前、日の入時刻の６０分前、日の入時刻の３０分前、そして、日の入時刻であることが示されている。また、左向き水平方向は、例えば、エラー表示位置として利用することが可能である。
【００４９】
図７に示すように、現在時刻が日の出時刻の１２０分前になると、機能針７Ｂは、日の出前運針開始目盛１７１Ｂを指し示すように回転移動する（図７（Ａ））。そして、機能針７Ｂは、日の出時刻６０分前を表す目盛１７２Ｂ（図７（Ｂ））、及び、日の出時刻３０分前を表す目盛１７３Ｂ（図７（Ｃ））を経て、目盛１７４Ｂ（図７（Ｄ））を指すまで右回りに回転移動する。また、日の出時刻の６０分前から日の出時刻までの間は、日の出時刻の１２０分前から日の出時刻の６０分前までにおける機能針７Ｂの回転駆動頻度（１０分ごと）と比較して機能針７Ｂの回転駆動頻度が２倍（５分ごと）となる。機能針７Ｂは、日の出時刻に目盛１７４Ｂを指し示した後は、日の入時刻前の運針が開始されるまでそのまま停止する。
【００５０】
また、図８に示すように、機能針７Ｂは、現在時刻が日の入時刻の１２０分前になると、目盛１７４Ｂから早送り駆動されて日の入運針開始目盛１７５Ｂを指し示すように回転移動する（図８（Ａ））。そして、機能針７Ｂは、日の入時刻６０分前を表す目盛１７６Ｂ（図８（Ｂ））、及び、日の入時刻３０分前を表す目盛１７７Ｂ（図８（Ｃ））を経て、目盛１７８Ｂ（図８（Ｄ））を指すまで右回りに回転移動する。また、日の入時刻の６０分前から日の入時刻までの間は、日の入時刻の１２０分前から日の入時刻の６０分前までにおける機能針７Ｂの回転駆動頻度（１０分ごと）と比較して機能針７Ｂの回転駆動頻度が２倍（５分ごと）となる。機能針７Ｂは、日の入時刻から日の出時刻の１２０分１秒前まで目盛１７８Ｂを指したまま停止した後、日の出前運針開始目盛１７１Ｂまで左回りに早送りで回転移動する。
【００５１】
或いは、機能針７Ｂは、日の入時刻直後に日の出前運針開始目盛１７１Ｂへ戻っても良いし、または、例えば、０時０分０秒に日の出前運針開始目盛１７１Ｂへ戻ることとしても良い。
【００５２】
以上のように、上記の実施形態の電子時計１、１Ｂによれば、文字板１１上に設けられた機能針７、７Ｂと小窓１７、１７Ｂとを用いて、現在時刻から日の出時刻までの時間及び現在時刻から日の入時刻までの時間を表示することができる。従って、ユーザは容易に日の出時刻及び日の入時刻までの残り時間を知ることができる。
【００５３】
また、日出没時刻記憶部８１ｂに記憶された日の入時刻及び日の出時刻のデータと計時回路８９の時刻データとを比較して、電子時計１、１Ｂの内部で日の出時刻までの時間及び日の入時刻までの時間を求めることができる。
【００５４】
また、指針２〜４と機能針７、７Ｂとを設けることにより、通常の時刻表示と現在時刻から日の出時刻までの時間及び日の入時刻までの時間の表示とを同時に行うことができる。
【００５５】
また、スイッチＢ１〜Ｂ４により位置座標データを入力して設定することが可能であり、この設定された位置データと太陽の位置データとにより任意の場所の日の出時刻と日の入時刻とを算出することができるので、世界の何れの場所においても日の出時刻、及び、日の入時刻までの残り時間を表示することができる。
【００５６】
また、現在時刻から日の出時刻までの時間、及び、日の入時刻までの時間を文字板１１上の小窓１７、１７Ｂ内部で機能針７、７Ｂを用いて表示するので、通常の時刻表示とは独立した表示により現在時刻から日の出時刻までの時間、及び、日の入時刻までの時間を容易に読み取ることができる。
【００５７】
なお、本発明は、上記実施の形態に限られるものではなく、様々な変更が可能である。例えば、上記実施の形態では、日の出時刻、日の入時刻のそれぞれ１２０分前から表示を行っているが、この運針開始時間の値は変更可能である。日の出時刻までの時間の表示は、当該日の出の一つ前の日の入時刻以降の任意の時刻から表示を開始するように構成することができ、また、日の入時刻までの時間の表示は、当該日の入の一つ前の日の出時刻以降の任意の時刻から表示を開始するように構成することができる。
【００５８】
また、上記実施の形態では、日の出時刻、或いは、日の入時刻の何れか一方でもエラーの場合にはエラー表示を行うこととしたが、例えば、夏時間中の高緯度地域で日の入が翌日になるような場合であっても、日の出時刻のデータがあれば、日の出時刻前の表示を行うようにすることも可能である。また、日の入が２度あるような場合には、２度とも表示可能に構成することもできる。
【００５９】
また、上記実施の形態では、日の出時刻及び日の入時刻との時間差を算出する基準となる時刻として現在時刻を用いているが、現在時刻とは異なる時刻と、日の出時刻及び日の入時刻との時間差を算出することとしても良い。例えば、日の出時刻や日の入時刻より１時間早く行動する場合は、基準となる時刻として現在時刻に１時間を加算した値を設定することができるように構成しても良い。
【００６０】
また、上記実施の形態では、日の出時刻及び日の入時刻を電子時計の内部で算出しているが、日の出時刻及び日の入時刻の取得手段は、これに限られない。例えば、無線通信手段を用いて外部から取得することも可能である。また、あらかじめＲＯＭ８２に日の出時刻及び日の入時刻のテーブルを格納しておくことも可能である。
【００６１】
また、上記実施の形態では、緯度、経度の値を直接入力することによって日の出時刻、及び、日の入時刻を算出したが、例えば、都市名と対応する緯度経度のリストをあらかじめＲＯＭ８２に格納しておき、リストの番号を選択することによって座標を設定するように構成することも可能である。また、入力がないときは、例えば、自動的に東京に設定することとしても良い。
【００６２】
また、上記実施の形態では、日の出時刻、及び、日の入時刻の計算を緯度経度の値を用いて行ったが、位置座標の値として、更に、標高を加えることとしても良い。その他、小窓及び目盛の位置や形状、指針の本数や他の機能の有無など、実施形態で示した細部は、発明の範囲を逸脱しない範囲で適宜変更可能である。
【符号の説明】
【００６３】
１、１Ｂ      電子時計
２     時針
３     分針
４     秒針
５     日車
６     ２４時間針
７、７Ｂ      機能針
１０   ケーシング
１１   文字板
１３   開口部
１６   小窓
１７、１７Ｂ  小窓
２３〜２７    輪列機構
３３〜３７    ステップモータ
４３〜４７    駆動回路
８０   制御部
８１   ＲＡＭ
８１ａ 位置記憶部
８１ｂ 日出没時刻記憶部
８２   ＲＯＭ
８９   計時回路
９０   スイッチ部
１７１、１７１Ｂ     日の出前運針開始目盛
１７２〜１７４、１７２Ｂ〜１７４Ｂ  目盛
１７５、１７５Ｂ     日の入前運針開始目盛
１７６〜１７８、１７６Ｂ〜１７８Ｂ 目盛
Ｂ１〜Ｂ４    スイッチ
【図１】
2011122952.tif 000003
【図２】
2011122952.tif 000004
【図３】
2011122952.tif 000005
【図４】
2011122952.tif 000006
【図５】
2011122952.tif 000007
【図６】
2011122952.tif 000008
【図７】
2011122952.tif 000009
【図８】
2011122952.tif 000010